(57)【要約】      （修正有）【課題】二種類の飲料を提供することが可能であり、そして飲料に気体を加えることにより、飲用の快適感を増加することが可能であり、一つの装置で二つの用途を有することにより、スペースを節約することが可能な両用飲料水製造装置を提供する。【解決手段】内部に蒸発管が回るように設けられている第１円筒１と、第１円筒１の内部に設けられており、水位検知器２１と、外部と連通するリリーフバルブ２２とが設けられており、第１高圧気体源６１と連通する第２円筒２と、第１円筒１の内部を回るように設けられており、一端が外部にある第１液体源と連通し、他端が第２円筒２の内部と連通する入水管３と、一端が第２円筒２の内部と連通し、他端が外部と連通する排水管４と、第１円筒１の内部を回るように設けられており、一端が第２液体源連通と連通し、他端が外部と連通する第２管路５と、を備える。【選択図】図１
0003222413.tif 000002
【実用新案登録請求の範囲】
【請求項１】
内部に蒸発管が回るように設けられている第１円筒と、
前記第１円筒の内部に設けられており、水位検知器と、外部と連通するリリーフバルブとが設けられており、第１高圧気体源と連通する第２円筒と、
前記第１円筒の内部を回るように設けられており、一端が外部にある第１液体源と連通し、他端が前記第２円筒の内部と連通する入水管と、
一端が前記第２円筒の内部と連通し、他端が外部と連通する排水管と、
前記第１円筒の内部を回るように設けられており、一端が第２液体源と連通し、他端が外部と連通する第２管路と、
を備えることを特徴とする両用飲料水製造装置。
【請求項２】
前記入水管の前記第２円筒の内部と連通する一端には、更に、高圧ノズルが設けられており、前記高圧ノズルにより、液体が霧化されて前記第２円筒の内部にスプレーすることを特徴とする、請求項１に記載の両用飲料水製造装置。
【請求項３】
更に、前記入水管に設けられている、電磁弁と、増圧ポンプと、備え、前記水位検知器と前記電磁弁と前記増圧ポンプは通信により接続し、前記水位検知器により、前記第２円筒内の水位が検知されて、前記電磁弁と前記増圧ポンプとの作動を制御し、これにより、水位を前記高圧ノズルの出口より高くないようにすることを特徴とする、請求項２に記載の両用飲料水製造装置。
【請求項４】
更に、逆止弁を備え、前記逆止弁は、前記入水管に設けられており、前記高圧ノズルと前記増圧ポンプとの間に位置することを特徴とする、請求項３に記載の両用飲料水製造装置。
【請求項５】
前記第１高圧気体源は、前記第２円筒の上部と連通することを特徴とする、請求項３に記載の両用飲料水製造装置。
【請求項６】
前記リリーフバルブは、前記第２円筒の上部に設けられていることを特徴とする、請求項３に記載の両用飲料水製造装置。
【請求項７】
前記第２管路の内部は、更に、第２高圧気体源と連通することを特徴とする、請求項１に記載の両用飲料水製造装置。
【請求項８】
前記第２高圧気体源は、前記第２管路の前記第２液体源に近接する一端と連通することを特徴とする、請求７に記載の両用飲料水製造装置。
【請求項９】
前記入水管は、前記第２管路と前記第２円筒との外部を回るように設けられており、前記蒸発管は、前記入水管の外部を回るように設けられていることを特徴とする、請求項１から７の何れかの１項に記載の両用飲料水製造装置。
【請求項１０】
前記第２円筒の高さは、前記第１円筒の高さの半分であり、前記第２管路の回り部位は、その高さが前記第２円筒の高さより小さく、前記第２円筒の下方に位置することを特徴とする、請求項１から７の何れかの１項に記載の両用飲料水製造装置。
【考案の詳細な説明】
【技術分野】
【０００１】
本考案は、両用飲料水製造装置に関するものである。
【背景技術】
【０００２】
工業および商業の発展により、自然資源が酷く消耗され、環境が汚染されるため、国民は、体の健康を守るために、飲料水製造装置を購入することがどんどん増えている。飲料水製造装置は、水に含むゴミや有害物質をろ過するためのろ過結構を有することにより、水を飲むことの安全性を増加する。従来の飲料水製造装置は、高温、室温および低温などの温度の飲料水を製造することが可能なため、ユーザーは、自分の好きな温度の飲料水を飲むことが可能である。
【０００３】
しかし、従来の飲料水製造装置は、異なる温度の飲料水だけを製造することが可能であり、どんどんユーザーの飲料水製造装置に対する要請を満足することができなくなる。
【考案の概要】
【考案が解決しようとする課題】
【０００４】
本考案の主な目的は、二種類の飲料を提供することが可能であり、そして飲料に気体を加えることにより、飲用の快適感を増加することが可能であり、一つの装置で二つの用途を有することにより、スペースを節約することが可能な両用飲料水製造装置を提供することにある。
【課題を解決するための手段】
【０００５】
本考案に係る両用飲料水製造装置によると、内部に蒸発管が回るように設けられている第１円筒と、第１円筒の内部に設けられており、水位検知器と、外部と連通するリリーフバルブとが設けられており、第１高圧気体源と連通する第２円筒と、第１円筒の内部を回るように設けられており、一端が外部にある第１液体源と連通し、他端が第２円筒の内部と連通する入水管と、一端が第２円筒の内部と連通し、他端が外部と連通する排水管と、
第１円筒の内部を回るように設けられており、一端が第２液体源と連通し、他端が外部と連通する第２管路と、を備えることを特徴とする。
【０００６】
本考案に係る両用飲料水製造装置によると、入水管の第２円筒の内部と連通する一端には、更に、高圧ノズルが設けられており、高圧ノズルにより、液体が霧化されて第２円筒の内部にスプレーすることを特徴とする。
【０００７】
本考案に係る両用飲料水製造装置によると、更に、入水管に設けられている、電磁弁と、増圧ポンプと、備え、水位検知器と電磁弁と増圧ポンプは通信により接続し、水位検知器により、第２円筒内の水位が検知されて、電磁弁と増圧ポンプとの作動を制御し、これにより、水位を高圧ノズルの出口より高くないようにすることを特徴とする。
【０００８】
本考案に係る両用飲料水製造装置によると、更に、逆止弁を備え、逆止弁は、入水管に設けられており、高圧ノズルと増圧ポンプとの間に位置することを特徴とする。
【０００９】
本考案に係る両用飲料水製造装置によると、第１高圧気体源は、第２円筒の上部と連通することを特徴とする。
【００１０】
本考案に係る両用飲料水製造装置によると、リリーフバルブは、第２円筒の上部に設けられていることを特徴とする。
【００１１】
本考案に係る両用飲料水製造装置によると、第２管路の内部は、更に、第２高圧気体源と連通することを特徴とする。
【００１２】
本考案に係る両用飲料水製造装置によると、第２高圧気体源は、第２管路の第２液体源に近接する一端と連通することを特徴とする。
【００１３】
本考案に係る両用飲料水製造装置によると、入水管は、第２管路と第２円筒との外部を回るように設けられており、蒸発管は、入水管の外部を回るように設けられていることを特徴とする。
【００１４】
本考案に係る両用飲料水製造装置によると、第２円筒の高さは、第１円筒の高さの半分であり、第２管路の回り部位は、その高さが第２円筒の高さより小さく、第２円筒の下方に位置することを特徴とする。
【考案の効果】
【００１５】
本考案に係る両用飲料水製造装置によれば、二種類の飲料を提供することが可能であり、そして飲料に気体を加えることにより、飲用の快適感を増加することが可能であり、一つの装置で二つの用途を有することにより、スペースを節約することが可能であるという効果を有する。
【図面の簡単な説明】
【００１６】
【図１】本考案の一実施の形態に係る両用飲料水製造装置を示す断面図である。
【図２】図１の一部を示す拡大図である。
【考案を実施するための形態】
【００１７】
以下、本考案の実施の形態を図面に基づいて説明する。
【００１８】
図１から図２を参照する。本考案の一実施の形態に係る両用飲料水製造装置は、第１円筒１と、第２円筒２と、入水管３と、排水管４と、第２管路５と、を備える。
【００１９】
蒸発管１１は、第１円筒１の内部を回るように設けられており、低温源（例えば冷媒源）と連通する。第１円筒１に液体が注入されていることにより、熱伝導が良くなり、冷却効果は良い。
【００２０】
第２円筒２は第１円筒１の内部に設けられている。第２円筒２には、水位検知器２１と、外部と連通するリリーフバルブ２２とが設けられている。第２円筒２は第１高圧気体源６１と連通する。本実施の形態では、第１高圧気体源６１は二酸化炭素を供給する。リリーフバルブ２２は、第２円筒２の上部に設けられていることにより、液体の水位がリリーフバルブ２２より高いことを回避することが可能である。これにより、圧力を有効にリリーフすることができる。
【００２１】
入水管３は、第１円筒１の内部を回るように設けられており、一端が外部にある第１液体源（例えば飲料水）と連通し、他端が第２円筒２の内部と連通する。
【００２２】
排水管４は、一端が第２円筒２の内部と連通し、他端が外部と連通する。
【００２３】
第２管路５は、第１円筒１の内部を回るように設けられており、一端が第２液体源（例えばジュースやソーダなどの飲料）と連通し、他端が外部と連通する。
【００２４】
これにより、第１液体源の液体と第２液体源の液体とは入水管３及び第２管路５に流入した後、液体が第１円筒１内で冷却されて、第１液体源の液体は、入水管３を経由して第２円筒２内に流入した後、第１高圧気体源６１の気体と混合して、綿密な気泡を有する気泡付き飲料水を得ることが可能である。最後に、気泡付き飲料水は排水管４を経由して外部に流れる。ユーザーは、気泡付き飲料水を飲用することが可能である。このため、両用飲料水製造装置は、二種類の飲料を提供することが可能であり、そして第１液体源の液体に気体を加えることにより気泡付き飲料を得ることが可能であるため、一つの装置で二つの用途を有し、且つスペースを節約することが効果を有する。
【００２５】
入水管３の第２円筒２の内部と連通する一端には、更に、高圧ノズル３１が設けられていることが好ましい。高圧ノズル３１により、液体が霧化されて第２円筒２の内部にスプレーする。このため、第１高圧気体源６１は第２円筒２の上部と連通することが好ましい。これにより、液体を気体と均一に混合することが可能である。本実施の形態では、第１高圧気体源６１と第２円筒２との間には、更に、逆止弁６３が設けられている。これにより、気体が逆流して第１高圧気体源６１に戻すことを防止することができる。
【００２６】
本実施の形態に係る両用飲料水製造装置は、更に、入水管３に設けられている、電磁弁３２と、増圧ポンプ３３と、を備える。水位検知器２１と電磁弁３２と増圧ポンプ３３とは、通信により接続する。水位検知器２１により、第２円筒２内の水位を検知することが可能である。これにより、水位が高圧ノズル３１の出口より高くないように、電磁弁３２と増圧ポンプ３３との作動を制御することが可能であり、霧化された液体は、気体と均一に混合することができる。増圧ポンプ３３により、液体の高圧ノズル３１から噴出されるときの霧化の具合を向上することができる。本実施の形態に係る両用飲料水製造装置は、更に、逆止弁３４を備える。逆止弁３４は、入水管３に設けられており、高圧ノズル３１と増圧ポンプ３３との間に位置することにより、液体の逆流を防止することが可能である。
【００２７】
詳細には、第２管路５の内部には、更に、第２高圧気体源６２と連通する。本実施の形態に係る第２高圧気体源６２は、第２管路５の第２液体源に近接する一端と連通することにより、第２液体源の液体はより長い時間で気体と混合することができ、混合の効果を向上することができる。
【００２８】
入水管３は、第２管路５と第２円筒２との外部を回るように設けられている。蒸発管１１は入水管３の外部を回るように設けられていることにより、入水管３は第２管路５より蒸発管１１に近接する。これにより、温度を降下する効果はより良い。第２円筒２の高さは、第１円筒１の高さの半分である。第２管路５の回り部位は、その高さが第２円筒２の高さより小さく、第２円筒２の下方に位置することにより、第１円筒１のスペースを節約することが可能であり、第１円筒１の体積が大きすぎになることを回避することができる。
【００２９】
上記では、種々の実施の形態および変形例を説明したが、本考案はこれらの内容に限定されるものではない。本考案の技術的思想の範囲内で考えられるその他の態様も本考案の範囲内に含まれる。
【符号の説明】
【００３０】
１    第１円筒
２    第２円筒
３    入水管
４    排水管
５    第２管路
１１    蒸発管
２１    水位検知器
２２    リリーフバルブ
３１    高圧ノズル
３２    電磁弁
３３    増圧ポンプ
３４    逆止弁
６１    第１高圧気体源
６２    第２高圧気体源
６３    逆止弁
【図１】
0003222413.tif 000003
【図２】
0003222413.tif 000004